(57)【要約】      （修正有）【課題】光ピックアップの設計の容易化及び移動効率の向上等を図る。【解決手段】対物レンズ駆動装置８に、移動ベース７に固定された固定ブロック１０と、フォーカシング方向及びトラッキング方向にともに直交する記録トラックの接線方向に離隔して配置した第１の対物レンズ１６と第２の対物レンズ１７を保持する可動ブロック１１とを設け、第１の対物レンズによってデジタルバーサタイルディスク１００ａ又はコンパクトディスク１００ｂの少なくとも一方の記録面にレーザー光を集光し、第２の対物レンズによってブルーレイディスク１００ｃの記録面にレーザー光を集光し、第２の対物レンズのレンズ中心Ｓ２をディスクテーブル３に装着したディスク状記録媒体の中心Ｐを通りディスク状記録媒体の半径方向に延びる線分上Ｌｒに位置させ、第１の対物レンズのレンズ中心Ｓ１を第２の対物レンズのレンズ中心を通り上記接線方向に延びる線分Ｌｔ上に位置させる。【選択図】図４
2006107707.tif 000002
【特許請求の範囲】
【請求項１】
ディスクテーブルに装着されるディスク状記録媒体の半径方向へ移動される移動ベースと該移動ベースに配置された対物レンズ駆動装置とを備え、ディスクテーブルに装着された使用波長の異なる各ディスク状記録媒体に対応して少なくとも２種類の波長のレーザー光を照射する光ピックアップであって、
上記対物レンズ駆動装置は、
上記移動ベースに固定された固定ブロックと、
該固定ブロックに対してディスク状記録媒体の記録面に離接する方向であるフォーカシング方向及びディスク状記録媒体の略半径方向であるトラッキング方向へ動作されると共にフォーカシング方向及びトラッキング方向にともに直交する記録トラックの接線方向に離隔して配置された第１の対物レンズと第２の対物レンズを保持する可動ブロックとを備え、
上記第１の対物レンズは上記ディスク状記録媒体の記録面に第１のレーザー光を集光し、
上記第２の対物レンズは第１のレーザー光が集光される上記ディスク状記録媒体とは異なる種類のディスク状記録媒体の記録面に上記第１のレーザー光よりも波長の短い第２のレーザー光を集光し、
上記第１の対物レンズ又は上記第２の対物レンズのレンズ中心がディスクテーブルに装着されたディスク状記録媒体の中心を通りディスク状記録媒体の半径方向に延びる線分上に位置され、
上記第１の対物レンズのレンズ中心が第２の対物レンズのレンズ中心を通り上記接線方向に延びる線分上に位置されるようにした
ことを特徴とする光ピックアップ。
【請求項２】
第１のレーザー光を出射する第１のレーザー光源と、
上記第１のレーザー光と異なる波長の第２のレーザー光を出射する第２のレーザー光源と、
上記第１のレーザー光を上記第１のレーザー光源から上記第１の対物レンズに導く第１の光路と、
上記第２のレーザー光を上記第２のレーザー光源から上記第２の対物レンズに導く第２の光路と、
上記第１及び第２の光路の一部を合成する光路合成手段と、
上記光路合成手段によって合成された合成光路を、上記第１及び第２の対物レンズの前段で分離する光路分離手段と
を具えることを特徴とする請求項１に記載の光ピックアップ。
【請求項３】
上記光路合成手段は、上記第１及び第２のレーザー光が当該２軸アクチュエータの内部に導入される前の光路上において、上記第１及び第２の光路を合成する
ことを特徴とする請求項２に記載の光ピックアップ。
【請求項４】
上記光路分離手段は波長選択性を有し、上記第１及び第２のレーザー光の波長に応じて当該第１及び第２のレーザー光を分離することにより、上記光路合成手段によって合成された合成光路を分離する
ことを特徴とする請求項２に記載の光ピックアップ。
【請求項５】
ディスクテーブルに装着されるディスク状記録媒体の半径方向へ移動される移動ベースと該移動ベースに配置された対物レンズ駆動装置とを備え、ディスクテーブルに装着された使用波長の異なる各ディスク状記録媒体に対応して少なくとも２種類の波長のレーザー光を照射するように構成されたディスクドライブ装置であって、
上記対物レンズ駆動装置は、
上記移動ベースに固定された固定ブロックと、
該固定ブロックに対してディスク状記録媒体の記録面に離接する方向であるフォーカシング方向及びディスク状記録媒体の略半径方向であるトラッキング方向へ動作されると共にフォーカシング方向及びトラッキング方向にともに直交する記録トラックの接線方向に離隔して配置された第１の対物レンズと第２の対物レンズを保持する可動ブロックとを備え、
上記第１の対物レンズは上記ディスク状記録媒体の記録面に第１のレーザー光を集光し、
上記第２の対物レンズは第１のレーザー光が集光される上記ディスク状記録媒体とは異なる種類のディスク状記録媒体の記録面に上記第１のレーザー光よりも波長の短い第２のレーザー光を集光し、
上記第１の対物レンズ又は上記第２の対物レンズのレンズ中心がディスクテーブルに装着されたディスク状記録媒体の中心を通りディスク状記録媒体の半径方向に延びる線分上に位置され、
上記第１の対物レンズのレンズ中心が第２の対物レンズのレンズ中心を通り上記接線方向に延びる線分上に位置されるようにした
ことを特徴とするディスクドライブ装置。
【請求項６】
第１のレーザー光を出射する第１のレーザー光源と、
上記第２のレーザー光を出射する第２のレーザー光源と、
上記第１のレーザー光を上記第１のレーザー光源から上記第１の対物レンズに導く第１の光路と、
上記第２のレーザー光を上記第２のレーザー光源から上記第２の対物レンズに導く第２の光路と、
上記第１及び第２の光路の一部を合成する光路合成手段と、
上記光路合成手段によって合成された合成光路を、上記第１及び第２の対物レンズの前段で分離する光路分離手段と
を具えることを特徴とする請求項５に記載のディスクドライブ装置。
【発明の詳細な説明】
【技術分野】
【０００１】
本発明は光ピックアップ及びディスクドライブ装置に関する。詳しくは、２つの対物レンズを保持する対物レンズ駆動装置を有する光ピックアップ及びこれを備え、複数種類のディスクを使用できるようになされたディスクドライブ装置についての技術分野に関する。
【背景技術】
【０００２】
光ディスクや光磁気ディスク等のディスク状記録媒体に対して情報信号の記録や再生を行うディスクドライブ装置があり、このようなディスクドライブ装置には、ディスク状記録媒体の半径方向へ移動され該ディスク状記録媒体に対してレーザー光を照射する光ピックアップが設けられている。
【０００３】
光ピックアップには対物レンズ駆動装置が設けられており、該対物レンズ駆動装置によって、その可動ブロックに保持された対物レンズをディスク状記録媒体の記録面に離接する方向であるフォーカシング方向へ動作させてフォーカシング調整を行うと共に対物レンズをディスク状記録媒体の略半径方向であるトラッキング方向へ動作させてトラッキング調整を行い、対物レンズを介してディスク状記録媒体に照射されるレーザー光のスポットがディスク状記録媒体の記録トラックに集光及び追従されるようにしている。
【０００４】
一方、ディスク状記録媒体は、近年、記録密度やカバー厚み等の相違により種々のタイプが開発されており、このようなディスク状記録媒体として、例えば、レーザー光の使用波長が７８０ｎｍ付近であるコンパクトディスク（ＣＤ：Compact Disc）、使用波長が６６０ｎｍ付近であるデジタルバーサタイルディスク（ＤＶＤ：Digital Versatile Disc）、使用波長が４０５ｎｍ付近であるブルーレイディスク（ＢＤ：Blu-ray Disc）が存在する。
【０００５】
このようなレーザー光の使用波長の異なる複数の種類のディスク状記録媒体に対して情報信号の記録や再生を行う光ピックアップとして、これらの複数のディスク状記録媒体に対応した２つの対物レンズを備えたものがある（例えば、特許文献１参照）。
【０００６】
特許文献１に記載された光ピックアップにあっては、波長の異なるレーザー光を２つの対物レンズによってそれぞれのディスク状記録媒体の記録面に集光させ、各ディスク状記録媒体に対する情報信号の記録や再生が行われる。
【０００７】
２つの対物レンズはディスク状記録媒体の半径方向、即ち、光ピックアップの移動方向に直交する方向である記録トラックの接線方向に離隔して可動ブロックに配置されている。このように２つの対物レンズを接線方向に離隔して配置することにより、ディスク状記録媒体の半径方向における可動ブロックの良好なバランスが確保され、対物レンズ駆動装置の特性を最大限に引き出すことが可能となる。
【特許文献１】特開平９―３５３０４号公報
【発明の開示】
【発明が解決しようとする課題】
【０００８】
ところで、ディスク状記録媒体の種類によっては、ディスク状記録媒体の最内周にある記録トラックの位置が異なる場合があるため、これを考慮して光ピックアップの設計を行うことが望ましい。
【０００９】
また上述したように、光ディスクドライブにおいては、ＣＤとＤＶＤの２種類の光ディスクに対して記録や再生を行い得るようになされたものや、ＣＤやＤＶＤと共にＢＤも使用できるようになされた３波長対応の光ディスクドライブも実用化されている。
【００１０】
ところが、上述したようにブルーレイディスク用のレーザー光は波長が４０５[nm]であり、ＣＤ用やＤＶＤ用のレーザー光とはその波長が大きく異なるため、これら３波長共用の対物レンズを設計することは困難である。このため３波長対応の光ディスクドライブでは、ブルーレイディスク用とＣＤ／ＤＶＤ用の２つの対物レンズを光ピックアップに設けるのが現実的である。
【００１１】
ここで、ブルーレイディスク用の光路とＣＤ／ＤＶＤ用の光路とを完全に分離した構造にすれば装置設計は容易になるものの、光ピックアップのサイズが大きくなってしまうという問題がある。このため３波長対応の光ピックアップにおいて、ブルーレイディスク用及びＣＤ／ＤＶＤ用の２つの対物レンズを一つの２軸アクチュエータに搭載し、ブルーレイディスク用及びＣＤ／ＤＶＤ用それぞれの光路から供給されるレーザー光を、対応する対物レンズに導入することが考えられる。
【００１２】
この場合でも、レーザー光を対物レンズに導入するための立ち上げミラーはブルーレイディスク用及びＣＤ／ＤＶＤ用の２つが必要となる。ところが実際上、２軸アクチュエータはレンズ支持機構や駆動用コイル等からなる複雑な構造を有しているため、当該２軸アクチュエータに対するレーザー光の導入範囲は限られる。特に、ノートパソコンに搭載される薄型構造の光ディスクドライブ（いわゆるスリムドライブ）では装置全体の厚さが制限されることからレーザー光の導入範囲もさらに限定され、これにより光ピックアップ自体の薄型化が困難であるという問題があった。
【００１３】
そこで、本発明の光ピックアップ及びディスクドライブ装置は、上記した問題点を克服し、光ピックアップの設計の容易化及び移動効率の向上等を図り、複数波長に対応した薄型、小型構造の光ピックアップ及び光ディスクドライブを提案しようとするものである。
【課題を解決するための手段】
【００１４】
対物レンズ駆動装置に、移動ベースに固定された固定ブロックと、該固定ブロックに対してディスク状記録媒体の記録面に離接する方向であるフォーカシング方向及びディスク状記録媒体の略半径方向であるトラッキング方向へ動作されると共にフォーカシング方向及びトラッキング方向にともに直交する記録トラックの接線方向に離隔して配置された第１の対物レンズと第２の対物レンズを保持する可動ブロックとを設け、第１の対物レンズによってディスク状記録媒体の記録面に第１のレーザー光を集光させ、第２の対物レンズによって第１のレーザー光が集光されるディスク状記録媒体とは異なる種類のディスク状記録媒体の記録面に第１のレーザー光よりも波長の短い第２のレーザー光を集光させ、第１の対物レンズ又は第２の対物レンズのレンズ中心がディスクテーブルに装着されたディスク状記録媒体の中心を通りディスク状記録媒体の半径方向に延びる線分上に位置され、第１の対物レンズのレンズ中心が第２の対物レンズのレンズ中心を通り接線方向に延びる線分上に位置されるようにした。
【００１５】
従って、本発明光ピックアップ及びディスクドライブ装置にあっては、光ピックアップのスピンドルモーターに近付く側への移動が最小化される。
【００１６】
また、本発明においては、第１のレーザー光を出射する第１のレーザー光源と、第１のレーザー光の波長に対応し当該第１のレーザー光を光ディスクに対して出射する第１の対物レンズと、第１のレーザー光と異なる波長の第２のレーザー光を出射する第２のレーザー光源と、第２のレーザー光の波長に対応し当該第２のレーザー光を光ディスクに対して出射する第２の対物レンズと、第１のレーザー光を第１のレーザー光源から第１の対物レンズに導く第１の光路と、第２のレーザー光を第２のレーザー光源から第２の対物レンズに導く第２の光路と、第１及び第２の光路の一部を合成する光路合成手段と、光路合成手段によって合成された合成光路を、第１及び第２の対物レンズの前段で分離する光路分離手段とを光ピックアップに設けた。
【００１７】
そして、第１及び第２の対物レンズは同一の２軸アクチュエータに設けられ、光路合成手段は第１及び第２のレーザー光が当該２軸アクチュエータの内部に導入される前の光路上において、第１及び第２の光路を合成するようにした。
【００１８】
第１及び第２の光路を２軸アクチュエータの前で共通化し、さらに第１及び第２の対物レンズの前段で分離するようにしたことにより、レーザー光の導入範囲が限られる薄型構造の２軸アクチュエータを用いて、複数波長に対応した薄型構造の光ピックアップを構成することができる。
【発明の効果】
【００１９】
本発明の光ピックアップは、ディスクテーブルに装着されるディスク状記録媒体の半径方向へ移動される移動ベースと該移動ベースに配置された対物レンズ駆動装置とを備え、ディスクテーブルに装着された使用波長の異なる各ディスク状記録媒体に対応して少なくとも２種類の波長のレーザー光を照射する光ピックアップであって、上記対物レンズ駆動装置は、上記移動ベースに固定された固定ブロックと、該固定ブロックに対してディスク状記録媒体の記録面に離接する方向であるフォーカシング方向及びディスク状記録媒体の略半径方向であるトラッキング方向へ動作されると共にフォーカシング方向及びトラッキング方向にともに直交する記録トラックの接線方向に離隔して配置された第１の対物レンズと第２の対物レンズを保持する可動ブロックとを備え、上記第１の対物レンズは上記ディスク状記録媒体の記録面に第１のレーザー光を集光し、上記第２の対物レンズは第１のレーザー光が集光される上記ディスク状記録媒体とは異なる種類のディスク状記録媒体の記録面に上記第１のレーザー光よりも波長の短い第２のレーザー光を集光し、上記第２の対物レンズのレンズ中心がディスクテーブルに装着されたディスク状記録媒体の中心を通りディスク状記録媒体の半径方向に延びる線分上に位置され、上記第１の対物レンズのレンズ中心が第２の対物レンズのレンズ中心を通り上記接線方向に延びる線分上に位置されるようにしたことを特徴とする。
【００２０】
従って、光ピックアップのディスクテーブルに近付く側における移動端をスピンドルモーターから最大限離隔する位置に設定することができ、移動ベースとスピンドルモーターとの接触を回避する設計が容易であり、光ピックアップの設計の容易化及び製造コストの低減を図ることができる。
【００２１】
また、光ピックアップのディスクテーブルに近付く側における移動量を最小化することができ、光ピックアップの移動に関する効率化を図ることができる。
【００２２】
本発明ディスクドライブ装置は、ディスクテーブルに装着されるディスク状記録媒体の半径方向へ移動される移動ベースと該移動ベースに配置された対物レンズ駆動装置とを備え、ディスクテーブルに装着された使用波長の異なる各ディスク状記録媒体に対応して少なくとも２種類の波長のレーザー光を照射するように構成されたディスクドライブ装置であって、上記対物レンズ駆動装置は、上記移動ベースに固定された固定ブロックと、該固定ブロックに対してディスク状記録媒体の記録面に離接する方向であるフォーカシング方向及びディスク状記録媒体の略半径方向であるトラッキング方向へ動作されると共にフォーカシング方向及びトラッキング方向にともに直交する記録トラックの接線方向に離隔して配置された第１の対物レンズと第２の対物レンズを保持する可動ブロックとを備え、上記第１の対物レンズは上記ディスク状記録媒体の記録面に第１のレーザー光を集光し、上記第２の対物レンズは第１のレーザー光が集光される上記ディスク状記録媒体とは異なる種類のディスク状記録媒体の記録面に上記第１のレーザー光よりも波長の短い第２のレーザー光を集光し、上記第２の対物レンズのレンズ中心がディスクテーブルに装着されたディスク状記録媒体の中心を通りディスク状記録媒体の半径方向に延びる線分上に位置され、上記第１の対物レンズのレンズ中心が第２の対物レンズのレンズ中心を通り上記接線方向に延びる線分上に位置されるようにしたことを特徴とする。
【００２３】
従って、光ピックアップのディスクテーブルに近付く側における移動端をスピンドルモーターから最大限離隔する位置に設定することができ、移動ベースとスピンドルモーターとの接触を回避する設計が容易であり、ディスクドライブ装置の設計の容易化及び製造コストの低減を図ることができる。
【００２４】
また、光ピックアップのディスクテーブルに近付く側における移動量を最小化することができ、光ピックアップの移動に関する効率化を図ることができる。
【００２５】
また、本発明によれば、第１及び第２の光路を２軸アクチュエータの前で共通化し、さらに第１及び第２の対物レンズの前段で分離するようにしたことにより、レーザー光の導入範囲が限られる薄型構造の２軸アクチュエータを用いて、複数波長に対応した光ピックアップを構成することができ、かくして、複数波長に対応した薄型構造の光ピックアップ及び光ディスクドライブを実現することができる。
【発明を実施するための最良の形態】
【００２６】
（１）第１の実施の形態
以下に、本発明の光ピックアップ及びディスクドライブ装置の最良の形態を添付図面を参照して説明する。
【００２７】
ディスクドライブ装置１は、外筐２内に所要の各部材及び各機構が配置されて成り（図１参照）、外筐２には図示しないディスク挿入口が形成されている。
【００２８】
外筐２内には図示しないシャーシが配置され、該シャーシに取り付けられたスピンドルモーターのモーター軸にディスクテーブル３が固定されている。
【００２９】
シャーシには、平行なガイド軸４、４が取り付けられると共に図示しない送りモーターによって回転されるリードスクリュー５が支持されている。
【００３０】
光ピックアップ６は、移動ベース７と該移動ベース７に設けられた所要の光学部品と移動ベース７上に配置された対物レンズ駆動装置８とを有し、移動ベース７の両端部に設けられた軸受部７ａ、７ｂがそれぞれガイド軸４、４に摺動自在に支持されている。
【００３１】
移動ベース７に設けられた図示しないナット部材がリードスクリュー５に螺合され、送りモーターによってリードスクリュー５が回転されると、ナット部材がリードスクリュー５の回転方向へ応じた方向へ送られ、光ピックアップ６がディスクテーブル３に装着されるディスク状記録媒体１００の半径方向へ移動される。
【００３２】
ディスク状記録媒体１００としては、デジタルバーサタイルディスク（ＤＶＤ）１００ａとコンパクトディスク（ＣＤ）１００ｂに加え、ブルーレイディスク（ＢＤ）１００ｃが用いられる。これらの各ディスク状記録媒体１００のレーザー光の使用波長は、ＤＶＤ１００ａが約６６０ｎｍ、ＣＤ１００ｂが約７８０ｎｍ、ＢＤ１００ｃが約４０５ｎｍである。
【００３３】
ディスク状記録媒体１００にあっては、一般に、画像、音楽、文字等の情報が書き込まれインフォーメーションエリアと称される第１の書込領域と、ディスク状記録媒体１００の種類や構成等の各種の媒体情報が書き込まれバーストカッティングエリアやトランジションエリア等と称される第２の書込領域とを有している。第２の書込領域は第１の書込領域の内側に形成され、ディスク状記録媒体１００の最内周側に存在する書込領域である。
【００３４】
第２の書込領域の最内周の記録トラックはディスク状記録媒体１００の種類によって異なっており、ＤＶＤ１００ａ及びＣＤ１００ｂにおいては中心から約２２ｍｍに存在し、ＢＤ１００ｃにおいては中心から約２１ｍｍに存在することが知られている。
【００３５】
ディスクドライブ装置１において記録動作又は再生動作が行われるときは、はじめに内周側に存在する第２の書込領域に記録された情報が読み出され、次に、第２の書込領域の外側に存在する第１の書込領域への情報の書込又は第１の書込領域に記録された情報の読取が行われる。従って、ＤＶＤ１００ａ及びＣＤ１００ｂに対する記録動作又は再生動作が行われるときには、はじめに中心から約２２ｍｍの位置に存在する記録トラックの情報が読み出され、ＢＤ１００ｃに対する記録動作又は再生動作が行われるときには、はじめに中心から約２１ｍｍの位置に存在する記録トラックの情報が読み出される。
【００３６】
対物レンズ駆動装置８はベース部材９と固定ブロック１０と該固定ブロック１０に対して動作される可動ブロック１１とを有している（図２及び図３参照）。
【００３７】
ベース部材９は磁性金属材料によって形成され、移動ベース７上に固定されたベース部９ａと該ベース部９ａからそれぞれ直角に立ち曲げられたヨーク部９ｂ、９ｂとから成る。ヨーク部９ｂ、９ｂは前後方向、即ち、ディスク状記録媒体１００の記録トラックの接線方向（ＴＡＮ）に離隔して設けられている。
【００３８】
ヨーク部９ｂ、９ｂの互いに対向する面には、それぞれマグネット１２、１２が取り付けられている。
【００３９】
固定ブロック１０は移動ベース７に固定されている。固定ブロック１０の後面には図示しない回路基板の一端部が取り付けられ、該回路基板は図示しない電源回路に接続されている。
【００４０】
固定ブロック１０にはそれぞれ支持バネ１３、１３、・・・の各後端部が接続され、該支持バネ１３、１３、・・・は固定ブロック１０の後面に取り付けられた回路基板に接続されている。支持バネ１３、１３、・・・は固定ブロック１０から前方へ向けて突出されている。
【００４１】
可動ブロック１１は可動ホルダー１４と駆動コイル１５とを有している。
【００４２】
可動ホルダー１４はレンズ取付部１４ａと該レンズ取付部１４ａの後側に設けられたコイル保持部１４ｂとが一体に形成されて成る。
【００４３】
レンズ取付部１４ａには、前後に離隔して透過孔１４ｃ、１４ｄが形成され（図３参照）、該透過孔１４ｃ、１４ｄをそれぞれ上側から覆うようにして第１の対物レンズ１６と第２の対物レンズ１７が取り付けられている。
【００４４】
第１の対物レンズ１６は、約６６０ｎｍ及び約７８０ｎｍのレーザー光に対応した構成とされており、それぞれ開口数が０．５乃至０．６５程度とされ、ＤＶＤ１００ａ又はＣＤ１００ｂの記録面にレーザー光を集光する役割を果たす。
【００４５】
第２の対物レンズ１７は、約４０５ｎｍのレーザー光に対応した構成とされており、開口数が０．８５程度にされ、ＢＤ１００ｃの記録面にレーザー光を集光する役割を果たす。
【００４６】
第２の対物レンズ１７は第１の対物レンズ１６よりも固定ブロック１０側に配置されている。第２の対物レンズ１７は、図４に示すように、レンズ中心Ｓ２が、光ピックアップ６の移動方向、即ち、ディスク状記録媒体１００の半径方向に延びディスクテーブル３の回転中心（ディスク状記録媒体１００の中心Ｐ）を通る線分Ｌｒ上に対応して位置されている。
【００４７】
第１の対物レンズ１６は第２の対物レンズ１７に対してディスク状記録媒体１００の記録トラックの接線方向に離隔して配置されており、第１の対物レンズ１６のレンズ中心Ｓ１は第２の対物レンズ１７のレンズ中心Ｓ２を通り上記接線方向に延びる線分Ｌｔ上に対応して位置されている。
【００４８】
従って、図５に示すように、ディスク状記録媒体１００の中心Ｐから第１の対物レンズ１６のレンズ中心Ｓ１までの距離Ｈ１は、ディスク状記録媒体１００の中心Ｐから第２の対物レンズ１７のレンズ中心Ｓ２までの距離Ｈ２より大きくされている。
【００４９】
可動ブロック１１のコイル保持部１４ｂは上下に貫通された略矩形の枠状に形成され、コイル保持部１４ｂの内側には駆動コイル１５が保持されている（図２及び図３参照）。
【００５０】
駆動コイル１５は、可動ブロック１１をフォーカシング方向へ動作させるためのフォーカシングコイル１８と、可動ブロック１１をトラッキング方向へ動作させるためのトラッキングコイル１９、１９とによって構成されている。フォーカシング方向はディスク状記録媒体１００に離接する方向（図３に示すＦ方向）、即ち、上下方向であり、トラッキング方向はディスク状記録媒体１００の半径方向（図２に示すＴ方向）、即ち、左右方向である。
【００５１】
フォーカシングコイル１８及びトラッキングコイル１９、１９はそれぞれ略角筒状に巻回されて形成され、フォーカシングコイル１８は巻軸方向が上下方向（フォーカシング方向）とされ、トラッキングコイル１９、１９は巻軸方向が前後方向（接線方向）とされている。トラッキングコイル１９、１９はフォーカシングコイル１８の前面に左右に離隔して設けられている。
【００５２】
フォーカシングコイル１８及びトラッキングコイル１９、１９の各一端部は、それぞれ可動ホルダー１４の両側面に設けられた接続端子部１４ｅ、１４ｅ、・・・に接続されている。接続端子部１４ｅ、１４ｅ、・・・にはそれぞれ支持バネ１３、１３、・・・の各前端部が接続されている。従って、可動ブロック１１は支持バネ１３、１３、・・・によって固定ブロック１０と連結されて中空に保持される。
【００５３】
支持バネ１３、１３、・・・には、電源回路から固定ブロック１０の後面に取り付けられた回路基板を介してフォーカシング調整用又はトラッキング調整用の駆動電流が供給される。従って、支持バネ１３、１３、・・・のうち各２本ずつが、それぞれフォーカシングコイル１８とトラッキングコイル１９、１９への給電部材として機能する。
【００５４】
トラッキングコイル１９、１９を挟んだ前後両側の位置には、それぞれヨーク部９ｂ、９ｂに取り付けられたマグネット１２、１２が配置される。
【００５５】
電源回路から回路基板及び支持バネ１３、１３、・・・を介してフォーカシングコイル１８又はトラッキングコイル１９、１９、・・・に駆動電流が供給されると、これらの駆動電流の向きとマグネット１２、１２及びヨーク部９ｂ、９ｂにより発生する磁束の方向とに応じて、可動ブロック１１がフォーカシング方向又はトラッキング方向へ移動される。
【００５６】
可動ブロック１１がフォーカシング方向又はトラッキング方向へ動作されるときには、支持バネ１３、１３、・・・が弾性変形される。
【００５７】
可動ホルダー１４に設けられた第１の対物レンズ１６と第２の対物レンズ１７の下方には、それぞれビームスプリッター２０と立ち上げミラー２１が配置されている（図３参照）。ビームスプリッター２０と立ち上げミラー２１は、それぞれ分離面２０ａと反射面２１ａが同じ向きで移動ベース７上に配置されている。  ビームスプリッター２０の分離面２０ａは、波長によって透過率の異なる波長依存性を有する透過膜によって形成されている。
【００５８】
以上のようにして構成されたディスクドライブ装置１において、スピンドルモーターの回転に伴ってディスクテーブル３が回転されると、該ディスクテーブル３に装着されたディスク状記録媒体１００が回転される。
【００５９】
このときディスクテーブル３に装着されたディスク状記録媒体１００がＤＶＤ１００ａ又はＣＤ１００ｂである場合には、図示しない発光素子から発光されビームスプリッター２０に入射されたレーザー光が、該ビームスプリッター２０の分離面２０ａで反射され、第１の対物レンズ１６を介してＤＶＤ１００ａ又はＣＤ１００ｂの記録面に照射される。ＤＶＤ１００ａ又はＣＤ１００ｂの記録面に照射されたレーザー光は、該記録面で反射されて戻り光として再び第１の対物レンズ１６及びビームスプリッター２０を介して図示しない受光素子に入射される。受光素子に戻り光が入射されると、ＲＦ信号等の各信号が検出されＤＶＤ１００ａ又はＣＤ１００ｂに対する情報信号の記録又は再生が行われる。
【００６０】
一方、ディスクテーブル３に装着されたディスク状記録媒体１００がＢＤ１００ｃである場合には、図示しない発光素子から発光されビームスプリッター２０に入射されたレーザー光が、該ビームスプリッター２０の分離面２０ａを透過され、立ち上げミラー２１の反射面２１ａで反射されて第２の対物レンズ１７を介してＢＤ１００ｃの記録面に照射される。ＢＤ１００ｃの記録面に照射されたレーザー光は、該記録面で反射されて戻り光として再び第２の対物レンズ１７、立ち上げミラー２１及びビームスプリッター２０を介して受光素子に入射される。受光素子に戻り光が入射されると、ＲＦ信号等の各信号が検出されＢＤ１００ｃに対する情報信号の記録又は再生が行われる。
【００６１】
上記した記録動作及び再生動作において、フォーカシングコイル１８に駆動電流が供給されると、上記したように、対物レンズ駆動装置８の可動ブロック１１が固定ブロック１０に対してフォーカシング方向へ動作され、発光素子から発光され第１の対物レンズ１６又は第２の対物レンズ１７を介して照射されるレーザー光のスポットがディスク状記録媒体１００の記録トラックに集光するようにフォーカシング調整が為される。
【００６２】
また、トラッキングコイル１９、１９に駆動電流が供給されると、上記したように、対物レンズ駆動装置８の可動ブロック１１が固定ブロック１０に対してトラッキング方向へ動作され、発光素子から発光され第１の対物レンズ１６又は第２の対物レンズ１７を介して照射されるレーザー光のスポットがディスク状記録媒体１００の記録トラックに追従するようにトラッキング調整が為される。
【００６３】
記録動作及び再生動作において、光ピックアップ６は、ディスク状記録媒体１００の内周側から外周側へ移動される。このときディスク状記録媒体１００がＤＶＤ１００ａ又はＣＤ１００ｂである場合には、上記したように、はじめに中心から約２２ｍｍの位置に存在する記録トラックＴｄｃ（図４参照）の情報が第１の対物レンズ１６を介して読み出され、ディスク状記録媒体１００がＢＤ１００ｃである場合には、はじめに中心から約２１ｍｍの位置に存在する記録トラックＴｂ（図４参照）の情報が第２の対物レンズ１７を介して読み出される。
【００６４】
光ピックアップ６にあっては、ＢＤ１００ｃ用の第２の対物レンズ１７のレンズ中心Ｓ２がディスク状記録媒体１００の半径方向に延びディスク状記録媒体１００の中心Ｐを通る線分Ｌｒ上に対応して位置され、ＤＶＤ１００ａ及びＣＤ１００ｂ用の第１の対物レンズ１６のレンズ中心Ｓ１がレンズ中心Ｓ２を通りディスク状記録媒体１００の記録トラックの接線方向に延びる線分Ｌｔ上に対応して位置されている。
【００６５】
従って、ＢＤ１００ｃの最内周に存在する記録トラックＴｂに対応して第２の対物レンズ１７のレンズ中心Ｓ２が位置されたときは、第１の対物レンズ１６のレンズ中心Ｓ１は記録トラックＴｂの外側に位置される。光ピックアップ６のこの位置をディスクテーブル３に近付く側における移動端に設定しても、ＤＶＤ１００ａ又はＣＤ１００ｂの最内周に存在する記録トラックＴｄｃに記録された情報を読み取ることが可能である。
【００６６】
逆に、線分Ｌｒ上にある対物レンズをＤＶＤ１００ａ及びＣＤ１００ｂ用に設定し、他方の対物レンズをＢＤ１００ｃ用に設定し、線分Ｌｒ上にある対物レンズのレンズ中心がＤＶＤ１００ａ又はＣＤ１００ｂの最内周に存在する記録トラックＴｄｃに対応した位置を光ピックアップ６のディスクテーブル３に近付く側における移動端に設定した場合には、この移動端において、他方の対物レンズのレンズ中心がＢＤ１００ｃの最内周に存在する記録トラックＴｂより外側に位置されてしまうため、ＢＤ１００ｃの最内周に存在する記録トラックＴｂに記録された情報を読み取ることができない。従って、この位置よりも内側の位置を光ピックアップ６の内側における移動端に設定しなければならず、光ピックアップ６の移動量が大きくなってしまうと共に線分Ｌｒ上にある対物レンズにとっては必要以上に移動されることになる。
【００６７】
以上に記載した通り、光ピックアップ６にあっては、ＤＶＤ１００ａ及びＣＤ１００ｂ用の第１の対物レンズ１６とＢＤ１００ｃ用の第２の対物レンズ１７とがディスク状記録媒体１００の記録トラックの接線方向に離隔して配置され、第２の対物レンズ１７のレンズ中心Ｓ２がディスク状記録媒体１００の中心Ｐを通りディスク状記録媒体１００の半径方向に延びる線分Ｌｒ上に位置されるようにしているため、光ピックアップ６のディスクテーブル３に近付く側における移動端をスピンドルモーターから最大限離隔する位置に設定することができ、移動ベース７とスピンドルモーターとの接触を回避する設計が容易であり、ディスクドライブ装置の設計の容易化及び製造コストの低減を図ることができる。
【００６８】
また、光ピックアップ６のディスクテーブル３に近付く側における移動量を最小化することができ、光ピックアップ６の移動に関する効率化を図ることができる。
【００６９】
尚、光ピックアップ６において、トラッキング誤差信号の検出を差動プッシュプル法を用いて行う場合には、レーザー光の記録面上の３つのスポットと記録トラックとの位置関係が変化しないことが望ましいが、光ピックアップ６がディスク状記録媒体１００の内周側に移動されたときと外周側に移動されたときとでは記録トラックの曲率が相違するために、３つのスポットと記録トラックとの位置関係が変化する。この変化率は、レンズ中心Ｓ２がディスク状記録媒体１００の中心Ｐを通り半径方向に延びる線分Ｌｒ上に位置する第２の対物レンズ１７を介して照射されるレーザー光よりも、レンズ中心Ｓ１が線分Ｌｒ上に位置しない第１の対物レンズ１６を介して照射されるレーザー光よりも大きくなる。
【００７０】
また、記録トラック間の距離、即ち、トラックピッチが小さいディスク状記録媒体１００については、上記位置関係による影響を受け易く、トラックピッチの小さいＢＤ１００ｃはトラックピッチの大きいＤＶＤ１００ａ及びＣＤ１００ｂよりこの影響が大きくなるおそれがある。
【００７１】
そこで、上記のように、ＢＤ１００ｃ用の第２の対物レンズ１７のレンズ中心Ｓ２を線分Ｌｒ上に位置させることにより、トラッキング誤差信号の検出を差動プッシュプル法を用いて行う場合において、トラッキング誤差信号の検出精度の向上を図ることができる。
【００７２】
尚、上記した光ピックアップ６においては、ＢＤ１００ｃに対しては、そのトラックピッチが小さいため、トラッキング誤差信号の検出法として主光束と副光束を用いて行う外乱の影響を受け難い所謂３スポット法を用いることが望ましい。
【００７３】
このように３スポット法を用いたときに、上記のように、ＢＤ１００ｃ用の第２の対物レンズ１７のレンズ中心Ｓ２を線分Ｌｒ上に位置させることにより、ＢＤ１００ｃの最内周と最外周とで生じてしまうオフセットの影響を受け難くなる。
【００７４】
また、３スポット法に対して１スポット（主光束）のみを用いてトラッキング誤差信号を検出する方法があるが、この検出法は１つのスポットのみを用いるためディスク状記録媒体１００の記録面の傷やゴミ等の影響を受け易いという問題があるが、上記のように３スポット法を用いることにより、これらの傷やゴミ等の影響を低減することが可能である。
【００７５】
上記には、可動ブロック１１の先端側にＤＶＤ１００ａ及びＣＤ１００ｂ用の第１の対物レンズ１６を配置し、可動ブロック１１の基端側、即ち、固定ブロック１０に近い側にＢＤ１００ｃ用の第２の対物レンズ１７を配置した例を示したが、逆に、図６に示すように、可動ブロック１１の先端側にＢＤ１００ｃ用の第２の対物レンズ１７を配置して線分Ｌｒ上に位置させ、可動ブロック１１における固定ブロック１０側の位置にＤＶＤ１００ａ及びＣＤ１００ｂ用の第２の対物レンズ１７を配置してもよい。
【００７６】
第１の対物レンズ１６と第２の対物レンズ１７について、図４に示す対物レンズの配置構成と図６に示す対物レンズの配置構成の何れの配置構成を採用するかは、ビームスプリッター２０の分離面２０ａを構成する透過膜の形成の容易さを考慮して決定すればよい。例えば、約６６０ｎｍ及び約７８０ｎｍの波長を有するレーザー光を反射し約４０５ｎｍの波長を有するレーザー光を透過する透過膜を分離面２０ａとして形成し易い場合には、可動ブロック１１の先端側から順に第１の対物レンズ１６と第２の対物レンズ１７が配置される構成とすればよく、逆に、約４０５ｎｍの波長を有するレーザー光を反射し約６６０ｎｍ及び約７８０ｎｍの波長を有するレーザー光を透過する透過膜を分離面２０ａとして形成し易い場合には、可動ブロック１１の先端側から順に第２の対物レンズ１７と第１の対物レンズ１６が配置される構成とすればよい。
【００７７】
尚、上記には、ＤＶＤ１００ａ、ＣＤ１００ｂ及びＢＤ１００ｃの３種類のディスク状記録媒体１００を取り扱うディスクドライブ装置１を例として示したが、ディスクドライブ装置としては、ＤＶＤ１００ａとＢＤ１００ｃの２種類のディスク状記録媒体１００又はＣＤ１００ｂとＢＤ１００ｃの２種類のディスク状記録媒体１００を取り扱うものであってもよい。
【００７８】
また、上記には、フォーカシング方向を上下方向、トラッキング方向を左右方向として説明したが、これらの方向は説明の便宜上、例として示したものであり、特にこれらの方向に限定されることはない。
【００７９】
（２）第２の実施の形態
図７（Ａ）は３波長対応型の光ピックアップ１１０を示し、ベース１１１上に各種光学素子等が載置されて構成される。この光ピックアップ１０における光学系は、ＣＤ及びＤＶＤに対する記録再生を行うためのＣＤ／ＤＶＤ光学系１２０、ブルーレイディスクディスク（以下、ＢＤと略す）に対する記録再生を行うためのＢＤ光学系光学系と呼ぶ）１４０、ＣＤ、ＤＶＤ及びＢＤの３者に対して共通使用される共通光学系１６０で構成される。
【００８０】
（２−１）ＣＤ／ＤＶＤ光学系の構成
ＣＤ／ＤＶＤ光学系１２０においては、第１のレーザー光源としてのＣＤ／ＤＶＤ用レーザダイオード１２１から出射されたレーザー光を、第１のレーザー光としてのＣＤ／ＤＶＤ用出射光としてカップリングレンズ１２２、ミラー１２３、グレーティング１２４及びビームスプリッター１２５を順次介してコリメータレンズ１２６に入射する。コリメータレンズ１２６はＣＤ／ＤＶＤ用出射光を平行光に変換し、共通光学系１６０に入射する。
【００８１】
共通光学系１６０の光路合成用ビームスプリッター１６１は、ＣＤ／ＤＶＤ用出射光の一部を直角に反射して、レーザーパワー検出用のフロントフォトダイオード１２７に入射する。また共通光学系６０は、詳しくは後述するが、ＣＤ／ＤＶＤ用出射光の残りをＣＤ／ＤＶＤ用対物レンズ１６２を介して光ディスク１００の記録面に照射するとともに、その反射光をＣＤ／ＤＶＤ用入射光としてＣＤ／ＤＶＤ用対物レンズ１６２で受光し、ＣＤ／ＤＶＤ光学系１２０に入射する。
【００８２】
そしてＣＤ／ＤＶＤ光学系１２０は、ＣＤ／ＤＶＤ用入射光をコリメータレンズ１２６を介してビームスプリッター１２５に入射する。ビームスプリッター１２５はＣＤ／ＤＶＤ用入射光を直角に反射し、シリンドリカルレンズ１２８及びホログラム１２９を介して検出用のＰＤＩＣ（Photo Detector IC）１３０に入射する。ＰＤＩＣ１３０はＣＤ／ＤＶＤ用入射光を光電変換し、再生信号、トラッキングエラー信号、フォーカスエラー信号等の各種信号を出力する。
【００８３】
（２−２）ＢＤ光学系の構成
一方ＢＤ光学系１４０においては、第２のレーザー光源としてのＢＤ用レーザダイオード１４１から出射されたレーザー光を、第２のレーザー光としてのＢＤ用出射光として、波長板、グレーティング、若しくはこれらの複合素子でなる偏光手段１４２によって偏光面を回転させた後、ビームスプリッター１４３に入射する。
【００８４】
ビームスプリッター１４３はＢＤ用出射光の一部を透過し、コリメータレンズ１４４を介してレーザーパワー検出用のフロントフォトダイオード１４５に入射する。またビームスプリッター１４３はＢＤ用出射光の残りを反射し、ビームスプリッター１４６及びミラー１４７を順次介してコリメータレンズ１４８に入射する。コリメータレンズ１４８はＢＤ用出射光を平行光に変換し、共通光学系１６０に入射する。
【００８５】
共通光学系１６０の光路合成用ビームスプリッター１６１は、ＢＤ用出射光を直角に反射し、ＢＤ用対物レンズ１６３を介して光ディスク１００の記録面に照射するとともに、その反射光をＢＤ用入射光としてＢＤ用対物レンズ１６３で受光し、ＢＤ光学系１４０に入射する。
【００８６】
ＢＤ光学系１４０は、ＢＤ用入射光をコリメータレンズ１４８及びミラー１４７を順次介してビームスプリッター１４６に入射する。ビームスプリッター１４６はＢＤ用出射光を透過し、ホログラム１４９及びカップリングレンズ１５０を介して検出用のＰＤＩＣ１５１に入射する。ＰＤＩＣ１５１はＢＤ用入射光を光電変換し、再生信号、トラッキングエラー信号、フォーカスエラー信号等の各種信号を出力する。
【００８７】
（２−３）共通光学系の構成
次に、本願発明の特徴である共通光学系１６０の構成について詳細に説明する。この共通光学系１６０においては、ＣＤ／ＤＶＤ用対物レンズ１６２及びＢＤ用対物レンズ１６３が同じ２軸アクチュエータ１６８に搭載されているとともに、当該ＣＤ／ＤＶＤ用対物レンズ１６２及びＢＤ用対物レンズ１６３の下方には、ＢＤ用立ち上げミラー１６６及びＣＤ／ＤＶＤ用立ち上げミラー１６７からなる立ち上げミラー部１６５が設けられている。
【００８８】
すなわち図７（Ｂ）に示すように、ＣＤ／ＤＶＤ用対物レンズ１６２の下方にはＣＤ／ＤＶＤ用立ち上げミラー１６６が設けられているとともに、ＢＤ用対物レンズ１６３の下方にはＢＤ用立ち上げミラー１６７が設けられており、光路合成用ビームスプリッター１６１、ＢＤ用立ち上げミラー１６７及びＣＤ／ＤＶＤ用立ち上げミラー１６６は一直線上に配置されている。
【００８９】
上述したように共通光学系１６０においては、ＣＤ／ＤＶＤ用出射光及びＢＤ用出射光はいずれも光路合成手段としての光路合成用ビームスプリッター１６１に入射される。共通光学系１６０は、光路合成用ビームスプリッター１６１を透過したＣＤ／ＤＶＤ用出射光及びＢＤ用出射光を、球面収差補正用の液晶素子１６４を介して、光路分離手段としてのＢＤ用立ち上げミラー１６７に入射する。
【００９０】
このＢＤ用立ち上げミラー１６７は波長選択性ビームスプリッターでなり、ブルーレイディスク用の波長４０５[nm]の青紫色レーザー光のみを９０°反射するようになされている。このためＢＤ用立ち上げミラー１６７は、入射した出射光がＢＤ用出射光である場合、当該ＢＤ用出射光を反射して上方に立ち上げ、ＢＤ用対物レンズ１６３を介して光ディスク１００（この場合ブルーレイディスク）に照射するとともに、ＢＤ用対物レンズ１６３を介して受光したＢＤからの反射光を、液晶素子１６４及び光路合成用ビームスプリッター１６１を介してＢＤ光学系１４０に入射する。
【００９１】
これに対し、入射した出射光がＣＤ／ＤＶＤ用出射光である場合、ＢＤ用立ち上げミラー１６７は当該ＣＤ／ＤＶＤ用出射光を透過してＣＤ／ＤＶＤ用立ち上げミラー６６に入射する。ＣＤ／ＤＶＤ用立ち上げミラー６６はＣＤ／ＤＶＤ用出射光を反射して上方に立ち上げ、ＣＤ／ＤＶＤ用対物レンズ１６２を介して光ディスク１００（この場合ＣＤ又はＤＶＤ）に照射するとともに、ＣＤ／ＤＶＤ用対物レンズ１６２を介して受光したＣＤまたはＤＶＤからの反射光を、ＢＤ用立ち上げミラー１６７、液晶素子１６４及び光路合成用ビームスプリッター１６１を介してＣＤ／ＤＶＤ光学系１２０に入射する。
【００９２】
（３）動作及び効果
以上の構成において、この光ピックアップ１１０では、ＣＤ／ＤＶＤ用対物レンズ１６２及びＢＤ用対物レンズ１６３を同じ２軸アクチュエータ１６８に搭載するとともに、ＣＤ／ＤＶＤ光学系１２０から出射されるＣＤ／ＤＶＤ用出射光及びＢＤ光学系１４０から出射されるＢＤ用出射光を、共に共通光学系１６０の光路合成用ビームスプリッター１６１を介して立ち上げミラー部１６５に入射するようにした。  そして、波長選択性ビームスプリッターでなるＢＤ用立ち上げミラー１６７によってＣＤ／ＤＶＤ用出射光とＢＤ用出射光とを分離し、対応する対物レンズ１６２又は１６３を介して出射するようにした。
【００９３】
このように、立ち上げミラー部１６５に入射する際のＣＤ／ＤＶＤ用出射光及びＢＤ出射光の光路を光路合成用ビームスプリッター１６１によって合成することにより、対物レンズ１６２及び１６３を保持する２軸アクチュエータ６７に対するＣＤ／ＤＶＤ用出射光及びＢＤ出射光の光路を共通化した。これにより、レーザー光の導入範囲が限られる薄型構造の２軸アクチュエータ１６７を用いて、３波長対応型の光ピックアップ１１０を構成することができる。
【００９４】
以上の構成によれば、ＣＤ／ＤＶＤ用及びＢＤ用の光路の一部を光路合成用ビームスプリッター１６１によって共通化し、さらに、立ち上げミラー部１６５においてＣＤ／ＤＶＤ用及びＢＤ用の光路を分離して対応する対物レンズ１６２及び１６３に入射するようにしたことにより、レーザー光の導入範囲が限られる薄型構造の２軸アクチュエータ１６７を用いて、薄型かつ３波長対応型の光ピックアップ１１０を構成することができ、かくして複数波長に対応した薄型構造でなる光ディスクドライブ１を実現することができる。
【００９５】
（４）他の実施の形態
なお上述の実施の形態においては、ＣＤ／ＤＶＤ用及びＢＤ用の２つの光路の一部を光路合成用ビームスプリッター１６１で共通化するようにしたが、本発明はこれに限らず、ＣＤ用、ＤＶＤ用及びＢＤ用それぞれの光路を別個に設け、これら３つの光路の一部を光路合成用ビームスプリッターで共通化し立ち上げミラー部１６５に導入するようにしても良い。また、光ディスクドライブ１の使用対象となる光ディスクもＣＤ、ＤＶＤ及びＢＤに限らず、種々の光ディスクに適用することができる。
【００９６】
また、図７（Ｂ）における共通光学系１６０の構成において、ＣＤ／ＤＶＤ用対物レンズ１６２及びＢＤ用対物レンズ１６３を互いに逆の位置に配置し、当該ＣＤ／ＤＶＤ用対物レンズ１６２の下方に、ＣＤ／ＤＶＤ用立ち上げミラー１６６を設けるとともに、ＢＤ用対物レンズ１６３の下方にはＢＤ用立ち上げミラー１６７を設ける構成としてもよい。また、この場合においても、光路合成用ビームスプリッター１６１、ＢＤ用立ち上げミラー１６７及びＣＤ／ＤＶＤ用立ち上げミラー１６６は一直線上に配置されるようにしてもよい。
【００９７】
つまり、図３、図４のように、ＣＤ／ＤＶＤ用対物レンズ及びＢＤ用対物レンズを配置して、光路合成用ビームスプリッター１６１を透過したＣＤ／ＤＶＤ用出射光及びＢＤ用出射光を、光路分離手段としてのＣＤ／ＤＶＤ用立ち上げミラー１６６に入射するように構成する。
【００９８】
このＣＤ／ＤＶＤ用立ち上げミラー１６６は波長選択性ビームスプリッターでなり、ブルーレイディスク用の波長４０５[nm]の青紫色レーザー光を透過するようになされている。このためＣＤ／ＤＶＤ用立ち上げミラー１６６は、入射した出射光がＢＤ用出射光である場合、当該ＢＤ用出射光を透過させて、BD用立ち上げミラー１６７に入射する。当該BＤ用立ち上げミラー１６７はＢＤ用出射光を出射光を反射して上方に立ち上げ、ＢＤ用対物レンズ１６３を介して光ディスク１００（この場合ブルーレイディスク）に照射するとともに、ＢＤ用対物レンズ１６３を介して受光したＢＤからの反射光を、液晶素子１６４及び光路合成用ビームスプリッター１６１を介してＢＤ光学系１４０に入射する。
【００９９】
これに対し、入射した出射光がＣＤ／ＤＶＤ用出射光である場合、ＣＤ／ＤＶＤ用立ち上げミラー１６６は当該ＣＤ／ＤＶＤ用出射光を９０°反射して、上方に立ち上げ、ＣＤ／ＤＶＤ用対物レンズ１６２を介して光ディスク１００（この場合ＣＤ又はＤＶＤ）に照射するとともに、ＣＤ／ＤＶＤ用対物レンズ１６２を介して受光したＣＤまたはＤＶＤからの反射光を、ＢＤ用立ち上げミラー１６７、液晶素子１６４及び光路合成用ビームスプリッター１６１を介してＣＤ／ＤＶＤ光学系１２０に入射する。
【０１００】
上記した発明を実施するための最良の形態において示した各部の具体的な形状及び構造は、何れも本発明を実施する際の具体化のほんの一例を示したものにすぎず、これらによって本発明の技術的範囲が限定的に解釈されることがあってはならないものである。
【図面の簡単な説明】
【０１０１】
【図１】図２乃至図６と共に本発明を実施するための最良の形態を示すものであり、本図はディスクドライブ装置の概略斜視図である。
【図２】対物レンズ駆動装置の概略拡大平面図である。
【図３】対物レンズ駆動装置の一部を示す拡大断面図である。
【図４】２つの対物レンズと記録トラックとの位置関係を示す概念図である。
【図５】図４における要部の拡大図である。
【図６】２つの対物レンズの位置が異なる対物レンズ駆動装置を示す拡大平面図である。
【図７】本発明による光ピックアップの構成を示す略線図である。
【符号の説明】
【０１０２】
１……ディスクドライブ装置、３……ディスクテーブル、６……光ピックアップ、７……移動ベース、８……対物レンズ駆動装置、１０……固定ブロック、１１……可動ブロック、１６……第１の対物レンズ、１７……第２の対物レンズ。
【図１】
2006107707.tif 000003
【図２】
2006107707.tif 000004
【図３】
2006107707.tif 000005
【図４】
2006107707.tif 000006
【図５】
2006107707.tif 000007
【図６】
2006107707.tif 000008
【図７】
2006107707.tif 000009